(57)【要約】【課題】情報アクセス支援方法とシステム及びこれのための記録媒体を提供する。【解決手段】使用者クライアントとネットワークを介して接続するシステムにおける情報アクセス支援方法であって、（ａ）使用者クライアントからアクセスアプリケーションのダウンロード要求を受信するステップと、（ｂ）アクセスアプリケーションは使用者クライアントに設置されたウェブブラウザに存在する第１アドレス窓を第２アドレス窓に代替し、ダウンロード要求されたアクセスアプリケーションを使用者クライアントに伝送するステップと、（ｃ）キーワード情報は直接的なアクセス情報を含まないテキスト情報であり、使用者クライアントが第２アドレス窓に入力する情報の中のキーワード情報を受信するステップと、（ｄ）キーワード情報に対応するＩＰアドレス及びキーワード情報に関する検索結果情報の中の少なくとも一つを使用者クライアントに伝送するステップとを含む。【選択図】図１
2010165376.tif 000002
【特許請求の範囲】
【請求項１】
使用者クライアントとネットワークを介して接続するウェブサーバを備え、前記使用者クライアントまたは前記ウェブサーバがコンピュータをそれぞれ有するシステムにおいて、プログラムを読み出してそれぞれのコンピュータに処理させて前記システムにける情報アクセスを支援する方法であって、
前記ウェブサーバに含まれるプログラムは、
（ａ）  前記使用者クライアントからアクセスアプリケーションのダウンロード要求を受信するステップと、
（ｂ）  前記ダウンロード要求されたアクセスアプリケーションを前記使用者クライアントに伝送するステップとを含み、
前記使用者クライアントにインストールされたアクセスアプリケーションは、
（ｃ）  前記使用者クライアントにインストールされたウェブブラウザのレジストリを用いて第１アドレス窓のアドレス表示状態値を変更して、ＩＰアドレス若しくはＵＲＬである直接的なアクセス情報、前記使用者クライアントに格納されたファイルを検索するためのファイル経路、または、キーワード情報が入力される第２アドレス窓に代替し前記第1アドレス窓を非表示とするステップを含み、
前記ウェブサーバに含まれるプログラムは、
（ｄ）  前記使用者クライアントの前記第２アドレス窓に入力する情報の中のうち、前記情報が前記アクセスアプリケーションにより直接的なアクセス情報もファイル経路を含まないキーワード情報であると判断された場合に、前記アクセスアプリケーションにより送信される前記キーワード情報を受信するステップと、
（ｅ）  特定のキーワードに対応するＵＲＬ又はＩＰアドレス情報をマッピングさせたマッピングテーブルから前記キーワード情報に対応するＵＲＬ又はＩＰアドレス情報を取得するステップと、
（ｆ）  前記取得されたＵＲＬ又はＩＰアドレスを前記使用者クライアントに送信し、前記使用者クライアントを前記取得されたＵＲＬ又はＩＰアドレスへリダイレクトさせるステップとを含むことを特徴とする情報アクセス支援方法。
【発明の詳細な説明】
【技術分野】
【０００１】
本発明は、情報アクセス支援方法、システム及びこれのための記録媒体に関するもので、より詳細には、使用者が所望の情報に容易に迅速にアクセスすることができるようにする情報アクセス支援方法とシステム及びこのための記録媒体に関する。
【背景技術】
【０００２】
インターネットの登場及びコンピュータの普遍的な普及と処理速度の向上により、多くの使用者が場所や時間の制約なしでインターネットで所望の情報にアクセスすることができるようになっている。
【０００３】
インターネットを介する情報アクセスは、マイクロソフト社のインターネットエクスプローラ（登録商標）及びネットスケープ社のコミュニケータ（登録商標）のようなウェブブラウザが開発されることによりさらに容易になり、使用者はウェブブラウザの所定領域にあるアドレス窓にＵＲＬ（ＵｎｉｆｏｒｍＲｅｓｏｕｒｃｅ Ｌｏｃａｔｉｏｎ）を入力することで所望の情報に容易にアクセスすることができるようになっている。
【０００４】
ＵＲＬの入力において、使用者はＩＰアドレスよりドメインネームを主に用いるが、過去にはウェブブラウザが英文ドメインネームのみを処理することができたため、使用者は特定ウェブサイトの英文ドメインネームを予め記憶して、これをアドレス窓に入力しなくてはならなかった。
【０００５】
このような方式は使用者に長い英文字を記憶するように要求するという不便さがある。このため、最近はハングルドメインネームを入力しても当該ウェブサイトに接続することができるようにするサービスが提供されている。
【０００６】
一方、最近、使用者がポータルサイトから提供される検索サービスを容易に用いるとともにポータルサイトの検索結果を早く確認することができるように、各種ポータルサイトが競争的に検索ツールバーサービスを提供している。
【０００７】
検索ツールバーサービスとは、起動されたウェブブラウザの所定領域にアドレス窓とは別の情報検索窓を提供して使用者が情報検索窓にキーワードを入力する場合、現在接続しているウェブサイトにかかわらず、自動的にポータルサイトの検索結果の提供を受けることができるようにするサービスである。
【０００８】
このように、インターネットの情報アクセスを容易にする多様なサービスが提供されていても、従来ではウェブブラウザのアドレス窓と情報検索窓が別に存在していて、また各窓に入力する情報が互いに異なって使用者が不便になるといった問題点があった。
【０００９】
従来技術によれば、使用者がアドレス窓に特定キーワードを入力する場合、もしキーワードがハングルドメインではなかったら間違ったＵＲＬであるので適切な情報を提供することができなかった。
【００１０】
逆に、情報検索窓にハングルドメインで登録されているキーワードを入力する場合にも、当該ウェブサイトへ直接繋がることがなく、ただハングルドメイン単語を含む検索結果を提供するので使用者が出力された検索結果を再び確認して所望のウェブサイトに接続する煩わしさがあった。
【００１１】
同じく、使用者が自分のコンピュータ内に格納されている情報を探索しようとする場合にもウェブブラウザのアドレス窓だけを用いることができるが、情報検索窓を介しては使用者コンピュータに格納されている情報を確認することができないという問題点があった。
【００１２】
一方、従来技術による情報検索窓は、使用者が入力したキーワードを含むすべてのウェブ文書情報を提供している。このため、使用者が検索結果を利用して本当に所望する情報を捜すのに時間がかかるという問題点があった。
【発明の開示】
【発明が解決しようとする課題】
【００１３】
本発明では、上記のような従来技術の問題点を解決するために、使用者がウェブブラウザを介して所望するすべての情報を容易に入手することができるようにする情報アクセス支援方法、システム及びこれのための記録媒体を提供する。
【００１４】
本発明の別の目的は、使用者がＵＲＬによるウェブサイト接続及びキーワード検索のような多様な要求を便利なインタフェースを介して行うことができるようにする情報アクセス支援方法、システム及びこれのための記録媒体を提供することにある。
【００１５】
本発明のさらに別の目的は、使用者が自分の所望のキーワードを容易に入力して情報アクセスが容易になる情報アクセス支援方法、システム及びこれのための記録媒体を提供することにある。
【００１６】
本発明のさらに別の目的は、使用者が入力するキーワードに関する検索結果を効率的に提供してもらうことができる情報アクセス支援方法、システム及びこのための記録媒体を提供することにある。
【課題を解決するための手段】
【００１７】
上記のような目的を果たすために、本発明の好ましい一実施形態によれば、使用者クライアントとネットワークを介して接続するシステムにおける情報アクセスを支援する方法であって、（ａ）前記使用者クライアントからアクセスアプリケーションのダウンロード要求を受信するステップと、（ｂ）前記アクセスアプリケーションは前記使用者クライアントにインストールされたウェブブラウザに存在する第１アドレス窓を第２アドレス窓に代替し、前記ダウンロード要求されたアクセスアプリケーションを前記使用者クライアントに伝送するステップと、（ｃ）前記キーワード情報は直接的なアクセス情報を含まないテキスト情報であり、使用者クライアントが前記第２アドレス窓に入力する情報の中のキーワード情報を受信するステップと、（ｄ）前記キーワード情報に対応するＩＰアドレス及び前記キーワード情報に関する検索結果情報の中の少なくとも一つを前記使用者クライアントに伝送するステップとを含むことを特徴とする情報アクセス支援方法を提供する。
【００１８】
前記アクセスアプリケーションは、前記使用者クライアントにインストール時、前記ウェブブラウザのレジストリで前記第１アドレス窓のアドレス表示状態値を変更することが好ましい。
【００１９】
また、前記アクセスアプリケーションは、使用者クライアントが第２アドレス窓に入力する情報が、ＵＲＬ、ＩＰアドレス、ファイル経路、スクリプト及びキーワード情報の中の少なくとも一つであるか否かを判断することができる。
【００２０】
本発明は、前記使用者クライアントが入力するキーワード情報に関する音素情報を受信するステップと、前記音素情報を含む推薦キーワード情報を抽出して前記使用者クライアントに伝送するステップをさらに含むことができ、前記アクセスアプリケーションは使用者クライアントに推薦キーワードの受信の設定をしなかった場合、前記第２アドレス窓に使用者の以前入力情報ヒストリを出力することが好ましい。
【００２１】
また、キーワードに対応するＵＲＬが格納されているキーワードマッピングテーブルを参照して前記キーワード情報に対応するＩＰアドレスが存在するか否かを判断するステップをさらに含み、前記（ｄ）ステップは前記ＩＰアドレスが存在しない場合に前記キーワード情報に関する検索結果を抽出して提供することができる。
【００２２】
また、キーワードに対応するＵＲＬが格納されているキーワードマッピングテーブルを参照して前記キーワード情報に対応するＩＰアドレスが存在するか否かを判断するステップをさらに含み、前記（ｄ）ステップは前記ＩＰアドレスが存在する場合、前記使用者クライアントを前記ＩＰアドレスにリダイレクトさせることが好ましい。
【００２３】
好ましくは、前記使用者クライアントからキーワードに関する検索範囲指定情報が受信される場合、前記（ｄ）ステップは前記検索範囲に対応する検索結果を提供することができる。
【００２４】
本発明の別の実施形態によれば、情報アクセスを支援するためにデジタル処理装置により実行される命令語のプログラムが組み込まれ、デジタル処理装置により読み取られる記録媒体であって、（ａ）使用者クライアントにインストールされる場合、レジストリでウェブブラウザのアドレス表示状態値を変更して前記ウェブブラウザの第１アドレス窓を第２アドレス窓に代替するステップと、（ｂ）前記第２アドレス窓に入力される情報を分析するステップと、（ｃ）前記入力される情報の中のキーワード情報をウェブサーバに伝送するステップと、及び（ｄ）前記ウェブサーバから前記キーワード情報に対応するＩＰアドレス及び前記キーワード情報に関する検索結果情報の中の少なくとも一つを受信するステップを含むプログラムが記録された記録媒体が提供される。
【００２５】
本発明のさらに別の実施形態によれば、使用者クライアントとネットワークを介して接続され、前記使用者クライアントよりアクセスアプリケーションのダウンロード要求を受信し、前記ダウンロード要求されたアクセスアプリケーションを前記使用者クライアントに伝送するが、前記アクセスアプリケーションは前記使用者クライアントにインストールされたウェブブラウザに存在する第１アドレス窓を第２アドレス窓に代替し、使用者が前記第２アドレス窓に入力する情報の中のキーワード情報を受信し、前記キーワード情報に対応するＩＰアドレス及び前記キーワードに関する検索結果情報の中の少なくとも一つを前記使用者クライアントに伝送するウェブサーバと、キーワードに関する検索情報を収集する検索サーバと、及び前記ＩＰアドレスにリダイレクトさせるためのキーワードマッピングテーブル及び前記キーワードに関する検索結果情報を格納するデータベースと、を含む情報アクセス支援システムが提供される。
【発明の効果】
【００２６】
以上の説明のように、本発明によれば、使用者がアドレス窓を用いてウェブサイト接続、検索結果確認及びファイル検索をすることができる。
【００２７】
また、本発明によれば、アドレス窓にキーワードを入力する場合、キーワードの自動完成機能を支援するので、使用者が所望のキーワードを容易に入力することができる。
【００２８】
また、本発明によれば、一つのアドレス窓であらゆる種類の情報にアクセスすることができるようになり、使用者に便利さを提供することができる。
【００２９】
また、本発明によれば、使用者がアドレス窓に入力したキーワードの検索範囲を指定することができるようにして、検索結果の効率的な提供を受けることができる。
【図面の簡単な説明】
【００３０】
【図１】本発明の好ましい一実施形態による情報アクセス支援システムの構成を示す図面である。
【図２】本発明の好ましい一実施形態によるウェブサーバのモジュール構成を示す図面である。
【図３】本発明の好ましい一実施形態によるアクセスアプリケーションのモジュール構成を示す図面である。
【図４】本発明によるアクセスアプリケーションインストール過程のフローチャートである。
【図５】本発明による情報アクセス支援過程のフローチャートである。
【図６】本発明による自動完成表示過程のフローチャートである。
【図７】本発明によるアドレス窓の代替過程を示す図面である。
【図８】本発明によるキーワード自動完成のための例示画面である。
【発明を実施するための形態】
【００３１】
以下、添付された図面を参照して本発明による情報アクセス支援方法、システム及びこれのための記録媒体に関する好ましい実施形態を詳細に説明する。
【００３２】
図１は本発明の好ましい一実施形態による情報アクセス支援システムの構成を示す図面である。
【００３３】
図１に示すように、本発明による情報アクセス支援システムは、ウェブサーバ１０２、検索サーバ１０４及びデータベース１０６を含むことができ、ネットワークを介して使用者クライアント１００と接続することができる。
【００３４】
ここで、ネットワークは、インターネット、専用線を含む有線ネットワークと無線インターネット、移動通信網及び衛星通信網を含む無線ネットワークを全て含むことができる。
【００３５】
使用者クライアント１００は、ネットワークに接続可能であり、情報アクセス支援のためのアプリケーションがインストールされる端末機であって、デスクトップＰＣ、ノートパソコン、ＰＤＡ及び通常の移動通信端末機を含むことができる。
【００３６】
本発明の好ましい一実施形態によれば、ウェブサーバ１０２は使用者クライアント１００に情報アクセス支援のためのアプリケーションを提供する。
【００３７】
本発明によるアクセスアプリケーションは、使用者の要求がある場合に、使用者クライアント１００にダウンロードされてインストールされ、ウェブブラウザのアドレス窓を本発明による窓に代替する過程を行う。
【００３８】
下記では、ウェブブラウザの本来のアドレス窓を第１アドレス窓と言い、アクセスアプリケーションの実行により代替されるアドレス窓を第２アドレス窓と言う。
【００３９】
従来、検索ツールバーのインストール時、ウェブブラウザの第１アドレス窓とは別に情報検索窓を生成したが、本発明によれば、アドレス窓領域を第２アドレス窓に代替することにより使用者のウェブブラウザにはアドレス、またはキーワードなどを入力するための一つの窓だけが存在することになる。
【００４０】
本発明によれば、アクセスアプリケーションは、第１アドレス窓を第２アドレス窓に代替して使用者に情報アクセスのための便利なインタフェースを提供する。
【００４１】
使用者は、本発明による第２アドレス窓にＵＲＬ、ＩＰアドレス、スクリプト、ファイル経路、テキストのようなキーワードの中の一つを入力することができるが、これに限定されることなく、アクセスアプリケーションは使用者の入力情報を分析して必要な処理過程が行われるようにする。
【００４２】
ここで、キーワードは、ＵＲＬ及びファイル経路のような直接的なアクセスアドレスを含まないテキスト情報を意味する。
【００４３】
例えば、第２アドレス窓に入力された情報がＵＲＬまたはＩＰアドレスである場合、アクセスアプリケーションは、使用者クライアント１００がネットワークを介して当該ＵＲＬまたはＩＰアドレスを有するノードに接続することができるようにするし、ファイル経路である場合には使用者クライアント１００の中からファイル経路によるファイルを検索して出力する過程を行う。
【００４４】
入力情報がテキストのキーワードである場合、アクセスアプリケーションはウェブサーバ１０２にキーワード情報を伝送する。
【００４５】
本発明によるデータベース１０６には特定のキーワードとＵＲＬをマッピングさせたマッピングテーブルが格納されており、ウェブサーバ１０２は使用者のキーワード情報を受信する場合、上記のマッピングテーブルを参照してキーワードに対応するＵＲＬ（ＩＰアドレス）が存在するか否かを判断して、もしＵＲＬが存在すれば使用者クライアント１００にキーワードに対応するＵＲＬ情報を伝送して使用者クライアント１００が当該ＵＲＬに対応するノードに接続することができるようにする。
【００４６】
すなわち、使用者が入力したキーワードに対応するＵＲＬが存在する場合、本発明によるウェブサーバ１０２はキーワードに対応するＵＲＬに使用者クライアント１００をリダイレクトさせる過程を行う。
【００４７】
しかし、キーワードに対応するＵＲＬが存在しない場合、ウェブサーバ１０２はキーワードに対応する検索結果をデータベース１０６より抽出して使用者クライアント１００に伝送する。
【００４８】
本発明による検索サーバ１０４は、各種キーワードに関する多様な情報を収集してデータベース１０６に格納しおり、ウェブサーバ１０２は上記のようなキーワード情報がハングルドメインではない場合には、データベース１０６よりキーワードに関する検索結果を抽出して使用者に提供する過程を行う。
【００４９】
一方、使用者がキーワード自動完成を設定した場合、アクセスアプリケーションは使用者が入力するキーワードを音素単位でウェブサーバ１０２に伝送する。
【００５０】
ここで、音素単位とは子音と母音とからなる一字の単位を意味する。
【００５１】
データベース１０６には各種キーワードの音素情報を含む推薦キーワード情報を格納しており、ウェブサーバ１０２はデータベース１０６に音素情報を含む推薦キーワードが存在するか否かを判断した後、推薦キーワードが存在する場合、これを抽出して使用者クライアント１００に伝送し、推薦キーワード情報をウェブブラウザの所定領域、好ましくは本発明による第２アドレス窓の下端領域に出力することができる。
【００５２】
しかし、使用者がキーワード自動完成を設定しなかった場合、使用者が第２アドレス窓に以前に入力した情報のヒストリをドロップダウン方式で出力することができる。
【００５３】
一方、使用者設定に応じて常にヒストリを出力することができ、その他、英語の３字入力時にはヒストリを、ハングルの子母入力時には自動完成のための推薦キーワードを出力することもできる。
【００５４】
上記したように、ウェブサーバ１０２が提供するアクセスアプリケーションは一つのアドレス窓に情報アクセスのためのすべての情報を入力することができ、使用者が入力する情報のパターンを分析して特定ノードに直ちに接続して、使用者クライアントの中のファイル検索結果を提供する。
【００５５】
また、ウェブサーバ１０２と連係して使用者が入力したキーワードに対応するノードにリダイレクトまたは検索結果を受信することができて使用者に便利さを提供することができる。
【００５６】
図２は本発明によるウェブサーバのモジュール構成を示す図面である。
【００５７】
図２に示すように、本発明によるウェブサーバは、アプリケーション提供モジュール２００、キーワード情報分析モジュール２０２、リダイレクトモジュール２０４、推薦キーワード伝送モジュール２０６及び検索結果提供モジュール２０８を含むことができる。
【００５８】
アプリケーション提供モジュール２００は使用者のアクセスアプリケーションダウンロードの要求がある場合、使用者クライアント１００にアクセスアプリケーションを提供する過程を行う。もちろん、アクセスアプリケーションはウェブサーバに代わって別のアプリケーション提供サーバにより提供されることもできる。
【００５９】
ウェブサーバ１０２は、使用者のダウンロードの要求時、アドレス窓を代替するかに対して設定情報をさらに受信することができ、使用者のアドレス窓の代替設定がある場合、アクセスアプリケーションにアドレス窓の代替のためのモジュールを含ませて使用者に提供することができるし、使用者の設定の可否にかかわらず、アドレス窓を代替させることもできる。
【００６０】
キーワード情報分析モジュール２０２は使用者クライアント１００からキーワード情報を受信する場合、マッピングテーブルを参照して受信されたキーワードに関するＵＲＬが存在するか否かを判断する。
【００６１】
マッピングテーブルにキーワードに対応するＵＲＬが存在する場合、リダイレクトモジュール２０４は上記キーワードに対応するＵＲＬを使用者クライアント１００に伝送して使用者クライアント１００が当該ＵＲＬを有するノードに直接接続することができるようにする。
【００６２】
一方、使用者の自動完成設定がある場合、ウェブサーバ１０２は使用者が入力するキーワードを音素単位で受信し、推薦キーワード伝送モジュール２０６は音素情報を含む推薦キーワードを抽出して使用者クライアント１００に伝送する。
【００６３】
このような過程を通じて、使用者は自分の所望するキーワードを自動完成することができる。
【００６４】
キーワード情報分析モジュール２０２からキーワードに対応するＵＲＬが存在しないと判断された場合、検索結果提供モジュール２０８はキーワードに対応する検索結果をデータベース１０６より抽出して使用者に提供する。
【００６５】
一方、使用者はアクセスアプリケーションを介して自分が入力したキーワードの検索範囲を指定することができるが、このような検索範囲指定情報は使用者クライアントより伝送されるクエリーに含まれ得る。ウェブサーバ１０２が使用者の検索範囲指定情報を受信する場合、上記のキーワード情報の分析過程は省略され得るし、キーワード情報の受信時、検索結果提供モジュール２０８がデータベース１０６を参照して受信されたキーワードと指定された検索範囲に対応する検索結果を使用者クライアント１００に提供することができる。
【００６６】
上記のウェブサーバは、使用者クライアントにインストールされたアクセスアプリケーションと連動する。図３は本発明によるアクセスアプリケーションのモジュール構成を示す図面である。
【００６７】
図３に示すように、本発明によるアクセスアプリケーションは、レジストリ状態変更モジュール３００、入力情報分析モジュール３０２、情報アクセスモジュール３０４及びキーワード自動完成モジュール３０６を含むことができる。
【００６８】
レジストリ状態変更モジュール３００は、ウェブサーバ１０２よりアクセスアプリケーションをダウンロードしてインストールする場合、ウェブブラウザのレジストリで第１アドレス窓のアドレス表示状態値を変更する。
【００６９】
図７に示すように、アドレス表示状態値の変更により既存の第１アドレス窓が無くなり、アドレス窓の領域が本発明による第２アドレス窓に代替される。
【００７０】
入力情報分析モジュール３０２は使用者が第２アドレス窓に入力する情報のパターンを分析する過程を行う。
【００７１】
上記のように、第２アドレス窓に入力することができる情報は、ＵＲＬ、ＩＰアドレス、ジャバスクリプト（Ｊａｖａ（登録商標）スクリプト）、ファイル経路及びキーワードなど多様であり、入力情報分析モジュール３０２は使用者が入力する情報の種類を判断する。
【００７２】
入力情報分析により、使用者の入力情報が、ＵＲＬ、またはＩＰアドレスである場合、本発明の一実施形態によれば、情報アクセスモジュール３０４は当該ＵＲＬまたはＩＰアドレスに対応するノードに接続する過程を行う。ファイル経路である場合には使用者クライアント１００中に格納されているファイルを検索して出力する過程を行う。
【００７３】
本発明の別の実施形態によれば、情報アクセスモジュール３０４がノード接続過程を直接行わず、当該ＵＲＬまたはＩＰアドレス情報をウェブブラウザに提供して、ウェブブラウザが当該ＵＲＬまたはＩＰアドレスに接続する。
【００７４】
一方、入力情報がキーワードである場合、情報アクセスモジュール３０４はキーワード情報をウェブサーバ１０２に伝送するが、もし使用者が自動完成設定をした場合、情報アクセスモジュール３０４は使用者が入力する順に音素情報をウェブサーバ１０２に伝送する。
【００７５】
ウェブサーバ１０２は受信された音素情報に対応する推薦キーワードを抽出して使用者クライアント１００に伝送し、キーワード自動完成モジュール３０６は図８に示すように、第２アドレス窓の下端領域に推薦キーワードを出力して、使用者が選択した推薦キーワード情報を受信する。
【００７６】
本発明の一実施形態によれば、情報アクセスモジュール３０４は使用者が入力するかまたは選択したキーワード情報をウェブサーバ１０２に伝送し、ウェブサーバ１０２よりキーワードに対応する検索結果を受信して出力する過程を行う。
【００７７】
本発明の別の実施形態によれば、情報アクセスモジュール３０４は、選択または入力されたキーワードに対応するクエリー情報を生成してウェブブラウザに提供する。ウェブブラウザは、情報アクセスモジュール３０４から受信したクエリー情報であって、使用者が入力または選択したキーワード情報を含む、情報をウェブサーバ１０２に伝送し、ウェブサーバ１０２よりキーワードに対応する検索結果を受信して出力する。
【００７８】
使用者は特定キーワードに関する検索結果を所望する場合、図７に示すインタフェース７００を介して検索範囲を指定することができ、上記のようにウェブサーバ１０２は、使用者の検索範囲指定情報を受信する場合、該当する範囲に対応する検索結果を提供する。
【００７９】
図４は本発明によるアクセスアプリケーションのインストール過程を示す図面である。図４を参照すると、ステップＳ４００で、使用者クライアント１００がウェブサーバ１０２に使用者のアクセスアプリケーションのダウンロードを要求すると、ステップＳ４０２で、ウェブサーバはアクセスアプリケーションを使用者クライアント１００に伝送する。
【００８０】
アクセスアプリケーションが使用者クライアント１００にインストールされる場合、ステップＳ４０４で、ウェブブラウザを仮想で実行させて、ステップＳ４０６で、ウェブブラウザのレジストリアドレス表示状態値を変更する。
【００８１】
上記のように、アドレス表示状態値が変更される場合、図７に示すように、ステップＳ４０８で、ウェブブラウザでは既存の第１アドレス窓が本発明による第２アドレス窓に代替される。
【００８２】
図５は本発明による情報アクセス支援過程のフローチャートである。
【００８３】
図５を参照すると、ステップＳ５００で、アクセスアプリケーションは使用者が第２アドレス窓に入力する情報を受信して、ステップＳ５０２で、受信された入力情報を分析する。
【００８４】
入力情報の分析過程を詳しく見ると、ステップＳ５０４で、アクセスアプリケーションは入力情報がキーワード情報であるか否かを判断する。入力された情報がキーワードである場合、ステップＳ５１２で、アクセスアプリケーションはキーワード情報をウェブサーバ１０２に伝送するか、または入力されたキーワードに対応するクエリー情報を生成してウェブブラウザに提供し、ウェブブラウザがクエリー情報をウェブサーバ１０２に伝送する。
【００８５】
使用者は第２アドレス窓に入力したキーワードに関する検索範囲を指定することができるが、ステップＳ５１４で、ウェブサーバ１０２は使用者クライアント１００より検索範囲指定情報が伝送されたかを判断し、検索範囲指定情報がない場合、ステップＳ５１６で、キーワードに対応するショートカットの可否を判断する。
【００８６】
ここで、ショートカットの可否の判断は、マッピングテーブルを参照してキーワードに対応するＵＲＬが存在するか否かを判断する過程に該当し、ＵＲＬが存在する場合、ステップＳ５１８で、使用者クライアント１００をリダイレクトさせる過程を行う。
【００８７】
しかし、ＵＲＬが存在しない場合、及び上記ステップＳ５１４で検索範囲が指定されたと判断される場合には、ステップＳ５２０で、キーワードに対応する検索結果をデータベースより抽出する過程を行い、ステップＳ５２２で、抽出された検索結果を使用者クライアントに伝送する。
【００８８】
一方、上記ステップＳ５０４で、キーワード情報ではない場合、アクセスアプリケーションは、ステップ５０６で、使用者の入力情報がファイル経路であるかを判断し、ファイル経路である場合には、ステップＳ５０８で、使用者クライアント１００の中に格納されているファイルを検索し、当該ファイルと連関されるアプリケーションを実行して出力する。
【００８９】
また、使用者の入力情報がファイル経路ではない場合、これはＵＲＬまたはＩＰアドレスであり得るので、ステップＳ５１０で、アクセスアプリケーションは当該アドレスに対応するノードに直接接続する過程を行うか、または当該ＵＲＬ、または当該ＩＰアドレス情報をウェブブラウザに提供し、ウェブブラウザがＵＲＬ、またはＩＰアドレスに対応するノードに接続する過程を行うようにする。
【００９０】
上記では説明の便宜のために、アクセスアプリケーションで使用者の入力した情報がキーワード、ファイル経路及びアドレスであるかを順次に判断することと示したが、これは一例に過ぎなく、入力情報分析による種類により、直ちに該当の過程が行われることができるということを当業者は理解するべきである。
【００９１】
一方、図６は本発明によるキーワード自動完成過程を示す図面である。図６を参照すると、使用者がキーワードを入力する場合、ステップＳ６００で、アクセスアプリケーションは使用者の自動完成設定があるか否かを判断し、自動完成設定がない場合にはステップ６０２で、使用者が第２アドレス窓に入力した基本ヒストリ情報を出力する。
【００９２】
これとは異なり、使用者のキーワード自動完成設定がある場合、ステップＳ６０４で、アクセスアプリケーションは使用者が入力した順に音素情報をウェブサーバ１０２に伝送する。
【００９３】
ウェブサーバ１０２は、ステップＳ６０６で、音素情報を含む自動完成データの推薦キーワード情報が存在するか否かを判断して、自動完成データが存在する場合、ステップＳ６０８で、音素情報を含む推薦キーワードを抽出し、ステップＳ６１０で、これを使用者クライアント１００に伝送する。
【００９４】
アクセスアプリケーションは、図８に示すように、ステップＳ６１２で、推薦キーワードを第２アドレス窓の所定領域に出力し、ステップＳ６１４で、一つ以上の推薦キーワードの中の一つに対する使用者の選択情報を受信する。
【００９５】
ステップＳ６１６で、アクセスアプリケーションは使用者の選択情報をウェブサーバ１０２に伝送し、ステップＳ６１８で、ウェブサーバ１０２は図５のステップＳ５１４ないしステップＳ５２０を行って使用者クライアントに検索結果を提供する。
【００９６】
上記の過程により、本発明による情報アクセス支援方法は、使用者に一つの第２アドレス窓を用いてウェブサイトの接続、キーワード検索、ファイル検索などあらゆる種類の情報にアクセスすることができるようにする。
【００９７】
上記した本発明の好ましい実施形態は例示の目的のために示されたものであり、本発明に対する通常の知識を有した当業者であれば、本発明の思想と範囲内で多様な修正、変更、付加ができ、このような修正、変更及び付加は下記の特許請求の範囲に属するものとして見るべきである。
【図１】
2010165376.tif 000003
【図２】
2010165376.tif 000004
【図３】
2010165376.tif 000005
【図４】
2010165376.tif 000006
【図５】
2010165376.tif 000007
【図６】
2010165376.tif 000008
【図７】
2010165376.tif 000009
【図８】
2010165376.tif 000010